(57)【要約】【課題】高周波での近接効果による損失の増加を抑制する。【解決手段】４ターン以上のソレノイドコイルとし、その中央部（１ａ，２ａ）の平均的な巻線ピッチよりも端部（１ｂ，２ｂ，１ｃ，２ｃ）の平均的な巻線ピッチを大きくする。【効果】端部（１ｂ，２ｂ，１ｃ，２ｃ）の電線に磁界が集中するのを緩和できるため、高周波での近接効果による損失の増加を抑制することが出来る。【選択図】図１
2009295730.tif 000002
【特許請求の範囲】
【請求項１】
４ターン以上のソレノイドコイルであって、中央部（１ａ，２ａ）の平均的な巻線ピッチよりも端部（１ｂ，２ｂ，１ｃ，２ｃ）の平均的な巻線ピッチを大きくしたことを特徴とする高周波用インダクタ（１，２）。
【請求項２】
請求項１に記載の高周波用インダクタにおいて、電線が角線であることを特徴とする高周波用インダクタ（１，２）。
【請求項３】
請求項１または請求項２に記載の高周波用インダクタ（１，２）において、電線が銀線または銀メッキ線であることを特徴とする高周波用インダクタ（１，２）。
【請求項４】
請求項１から請求項３のいずれかに記載の高周波用インダクタ（１，２）において、角型コイルであることを特徴とする高周波用インダクタ（１，２）。
【請求項５】
請求項１から請求項４のいずれかに記載の高周波用インダクタ（１，２）において、下方へ突出した脚部（１ｄ，２ｄ，１ｅ，２ｅ）を両端に有することを特徴とする高周波用インダクタ（１，２）。
【発明の詳細な説明】
【技術分野】
【０００１】
本発明は、高周波用インダクタに関し、さらに詳しくは、高周波での近接効果による損失の増加を抑制しうる構造とした高周波用インダクタに関する。
【背景技術】
【０００２】
従来、丸線を円型のソレノイド巻きにした円型コイルを含む高周波用インダクタンス素子が知られている（例えば、特許文献１参照。）。
【特許文献１】特開平０８−０７８２３７号公報
【発明の開示】
【発明が解決しようとする課題】
【０００３】
上記従来の高周波用インダクタンス素子では、１ＧＨｚ以上の高周波になると、近接効果により損失が無視できないほど増加する問題点があった。また、表皮効果により抵抗値が無視できないほど増加する問題点があった。また、基板に実装する際、円形コイルであるためマウンターで吸着できない問題点があった。さらに、半田リフローに耐えるため、丸線の絶縁被覆の温度指数を高くしなけばならない問題点があった。
そこで、本発明の目的は、高周波での近接効果による損失の増加を抑制しうる高周波用インダクタを提供することにある。また、高周波での表皮効果による抵抗値の増加を抑制しうる高周波用インダクタを提供することにある。また、基板に実装する際、マウンターで吸着しうる高周波用インダクタを提供することにある。さらに、電線の絶縁被覆の温度指数を下げても半田リフローに耐えうる高周波用インダクタを提供することにある。
【課題を解決するための手段】
【０００４】
第１の観点では、本発明は、４ターン以上のソレノイドコイルであって、中央部（１ａ，２ａ）の平均的な巻線ピッチよりも端部（１ｂ，２ｂ，１ｃ，２ｃ）の平均的な巻線ピッチを大きくしたことを特徴とする高周波用インダクタ（１，２）を提供する。
高周波での近接効果による損失は、ソレノイドコイルの端部の電線において支配的に生じる。これは、ソレノイドコイルの中央部では、中央部を挟む両側の電流が作る磁界同士が互いに打ち消しあうため中央部の電線を切る漏れ磁界が弱くなり、損失が小さくなるが、ソレノイドコイルの端部では、磁界同士が互いに打ち消しあうことがないため端部の電線に漏れ磁界が集中し、損失が大きくなるからである。
そこで、上記第１の観点による高周波用インダクタ（１，２）では、ソレノイドコイルの中央部（１ａ，２ａ）の平均的な巻線ピッチよりも端部（１ｂ，２ｂ，１ｃ，２ｃ）の平均的な巻線ピッチを大きくした。これにより、端部（１ｂ，２ｂ，１ｃ，２ｃ）の電線に磁界が集中するのを緩和できるため、高周波での近接効果による損失の増加を抑制することが出来る。
【０００５】
第２の観点では、本発明は、前記第１の観点による高周波用インダクタにおいて、電線が角線であることを特徴とする高周波用インダクタ（１，２）を提供する。
上記第２の観点による高周波用インダクタ（１，２）では、角線を用いるが、角線を丸線と比較すると、角線の表面の周長の方が丸線の表面の周長より長くなる。すなわち、表面近傍の断面積が大きくなる。よって、高周波での表皮効果による抵抗値の増加を抑制することが出来る。
【０００６】
第３の観点では、本発明は、前記第１または第２の観点による高周波用インダクタ（１，２）において、電線が銀線または銀メッキ線であることを特徴とする高周波用インダクタ（１，２）を提供する。
上記第３の観点による高周波用インダクタ（１，２）では、銀線または銀メッキ線を用いるため、高周波抵抗を低減することが出来る。
【０００７】
第４の観点では、本発明は、前記第１から第３のいずれかの観点による高周波用インダクタ（１，２）において、角型コイルであることを特徴とする高周波用インダクタ（１，２）を提供する。
上記第４の観点による高周波用インダクタ（１，２）では、角型コイルを用いるため、基板に実装する際、平面部分をマウンターで吸着することが出来る。
【０００８】
第５の観点では、本発明は、前記第１から第４のいずれかの観点による高周波用インダクタ（１，２）において、下方へ突出した脚部（１ｄ，２ｄ，１ｅ，２ｅ）を両端に有することを特徴とする高周波用インダクタ（１，２）を提供する。
上記第５の観点による高周波用インダクタ（１，２）では、脚部（１ｄ，２ｄ，１ｅ，２ｅ）が下方へ突出しているため、半田リフローにより脚部（１ｄ，２ｄ，１ｅ，２ｅ）を基板に半田付けする時、脚部（１ｄ，２ｄ，１ｅ，２ｅ）には半田温度が直接加わっても、本体部には半田温度が直接加わらない。よって、電線の絶縁被覆の温度指数を下げても、半田リフローに耐えられるようになる。
【発明の効果】
【０００９】
本発明の高周波用インダクタによれば、高周波での近接効果による損失の増加を抑制することが出来る。また、高周波での表皮効果による抵抗値の増加を抑制することが出来る。また、基板に実装する際、マウンターで吸着することが出来る。さらに、電線の絶縁被覆の温度指数を下げても半田リフローに耐えることが出来る。
【発明を実施するための最良の形態】
【００１０】
以下、図に示す実施の形態により本発明をさらに詳細に説明する。なお、これにより本発明が限定されるものではない。
【実施例１】
【００１１】
図１は、実施例１に係る高周波用インダクタ１を示す正面図である。図２は、同左側面図である。
【００１２】
この高周波用インダクタ１は、絶縁被覆銀メッキ銅角線を、角型に９．２５ターン巻いたソレノイドコイルである。
高周波用インダクタ１のコイル長を８区画に等分割したときの中央の２区画を中央部１ａとし、その中央部１ａの両側の３区画ずつを端部１ｂ，１ｃとするとき、中央部１ａの平均的な巻線ピッチよりも端部１ｂ，１ｃの平均的な巻線ピッチが大きくなっている。
また、高周波用インダクタ１の最両端の下辺は下方へ突出し、基板に半田付けするための脚部１ｄ，１ｅになっている。脚部１ｄ，１ｅの下面は、絶縁被覆を剥離し、半田メッキされている。
【００１３】
寸法例を示すと、角線は０．０８ｍｍ×０．０８ｍｍの正方形断面である。角型は１ｍｍ×１ｍｍの正方形である。コイル長は１．７ｍｍである。中央部１ａの平均的な巻線ピッチは０．１ｍｍであり、端部１ｂ，１ｃの平均的な巻線ピッチは０．２１ｍｍである。脚部１ｄ，１ｅは、コイル本体の下面より下方へ０．１ｍｍだけ突出している。
【００１４】
実施例１の高周波用インダクタ１によれば、次の効果が得られる。
（１）中央部１ａの平均的な巻線ピッチよりも端部１ｂ，１ｃの平均的な巻線ピッチが大きく、端部（１ｂ，１ｃ）に磁界が集中するのを緩和できるため、高周波での近接効果による損失の増加を抑制することが出来る。
（２）角線の方が丸線よりも表面近傍の断面積が大きくなるため、高周波での表皮効果による抵抗値の増加を抑制することが出来る。
（３）銀メッキ線を用いるため、高周波抵抗を低減することが出来る。
（４）上面が平面状であるため、基板に実装する際、上面をマウンターで吸着することが出来る。
（５）脚部１ｄ，１ｅが下方へ突出しているため、半田リフローにより脚部１ｄ，１ｅを基板に半田付けする時、脚部１ｄ，１ｅには半田温度が直接加わっても、本体部には半田温度が直接加わらない。よって、角線の絶縁被覆の温度指数を下げても、半田リフローに耐えられる。
【実施例２】
【００１５】
図３は、実施例２に係る高周波用インダクタ２を示す正面図である。図４は、同左側面図である。
【００１６】
この高周波用インダクタ２は、絶縁被覆銀角線を、角型に９．２５ターン巻いたソレノイドコイルである。
高周波用インダクタ２のコイル長を８区画に等分割したときの中央の２区画を中央部２ａとし、その中央部２ａの両側の３区画ずつを端部２ｂ，２ｃとするとき、中央部２ａの平均的な巻線ピッチよりも端部２ｂ，２ｃの平均的な巻線ピッチが大きくなっている。
また、高周波用インダクタ２の最両端の下辺は下方へ突出し、基板に半田付けするための脚部２ｄ，２ｅになっている。脚部２ｄ，２ｅの下面は、絶縁被覆を剥離し、半田メッキされている。
【００１７】
寸法例を示すと、角線は０．０８ｍｍ×０．０８ｍｍの正方形断面である。角型は１ｍｍ×１ｍｍの正方形である。コイル長は１．２ｍｍである。中央部２ａの平均的な巻線ピッチは０．２ｍｍであり、端部２ｂ，２ｃの平均的な巻線ピッチは０．１４ｍｍである。脚部２ｄ，２ｅは、コイル本体の下面より下方へ０．１ｍｍだけ突出している。
【００１８】
実施例２の高周波用インダクタ２によれば、実施例１の高周波用インダクタ２の効果に加えて、端部２ｂ，２ｃの機械的強度が向上するため、撓みにより中央部２ａが上下し難くなり、振動に強くなる。
【実施例３】
【００１９】
ターン数が４ターン以上あれば、本発明を実施できる。
【産業上の利用可能性】
【００２０】
本発明の高周波用インダクタは、例えば１ＧＨｚ程度以上の高周波回路に使用することが出来る。
【図面の簡単な説明】
【００２１】
【図１】実施例１に係る高周波用インダクタを示す正面図である。
【図２】実施例１に係る高周波用インダクタを示す左側面図である。
【図３】実施例２に係る高周波用インダクタを示す正面図である。
【図４】実施例２に係る高周波用インダクタを示す左側面図である。
【符号の説明】
【００２２】
１，２                      高周波用インダクタ
１ａ，２ａ                  中央部
１ｂ，１ｃ，２ｂ，２ｃ      端部
１ｄ，１ｅ，２ｄ，２ｅ      脚部
【図１】
2009295730.tif 000003
【図２】
2009295730.tif 000004
【図３】
2009295730.tif 000005
【図４】
2009295730.tif 000006